(57)【要約】【課題】汚泥・廃棄物の埋め立て処理場の限界や燃焼する事で発生する特定化学物質またはダイオキシンの原因は、特定化学物質等の物質や化学物質等の物質を処理方法が無いためであり、小面積で省エネ化した装置を提供する事。【解決の手段】汚泥や廃棄物に含まれる化学物質等の物質を、燃焼する前に特定化学物質等の物質を、順序を経て処理することで解決できるものであり、手間の掛らない自律制御ソフトを搭載する事で自動化することが出来、本装置は縦型で面積を必要とせず、またセラミックボールに含ませた化学的若しくは、生物的要素を吸着し、しかも省エネ化した自律制御ソフトの装置を提供し、価格の安い装置で、維持費が少ない装置を開発した事で、分解工程順位を解決したことで可能にした。【選択図】図１
2004216350.tif 000002
【特許請求の範囲】
【請求項１】
汚泥や廃棄物に雑混入した特定化学物質等の物質や化学組成物質等の物質または、アルコール系やフェノール系を含有し、生物処理や化学組成物質での処理可能な有機物や特定化学物質等の物質又は化学組成物質等の物質を分解処理の順位と日長時間を確保する為に
イ）汚泥水や廃棄物を脱水し、
ロ）日量の汚泥や廃棄物の処理容量を満たす為分解処理に必要な日数分と容積を設けた攪拌層を縦型に設置し
ハ）汚泥や廃棄物質に含まれる特定化学物質や化学組成物質又は、アルコール系やフェノール系等の処理順位と処理日長時間等を確保する為に、縦型式にした各攪拌の上部から処理された物質又は、アルコール系やフェノール系等を、順次下部へ送り込む方法で
二）汚泥や廃棄物が分解から発生する悪臭やガス等を処理する為に各攪拌層に取り付け口から、悪臭やガス等、相殺装置又は排水管へ接続することで悪臭等を除去等し
ホ）阻害物質による分解の低下を防ぐために必要な化学的物質または、生物生育と増殖に必要な培地や組成物質を拡散し、汚泥や廃棄物を分解促進を図るために設けた装置であることを特徴とする。
【発明の詳細な説明】
【０００１】
【発明の属する技術分野】
本発明は、生物的又は化学組成物質等にセラミックボールを宿主変わりに、含ませ各攪拌層に投入し、生物的または化学組成物の継ぎ足しが不要で、しかも入力可能と入力記憶データを表示できる自律制御ソフトを採用した装置である。
【０００２】
【従来の技術】
既存では、汚泥については、活性酸素方法や脱水し特定化学物質や化学組成物質を含んだまま希釈方法や燃焼処理されＰＣＢ・ＤＤＴ・ダイオキシンの処理に苦慮している。
廃棄物処理においては、化学組成物質の処理工程順位が為されず、分解処理不可能とされ、汚泥処理方法と同じく埋め立てや焼却処分されている。
【０００３】
【発明者が解決しようとする課題】
各生産工程から化学物質等の物質の流出における、自然混入から組成される特定化学組成物質等の物質の合成物質を、単体に化学物質を順次処理する装置で、リサイクル又は埋め立てや焼却可能な廃棄物にする事で問題を解決するものである。
【０００４】
【課題を解決する為の手段】
本発明によれば、汚泥や廃棄物に含まれる化学物質等の物質を単体に順次処理する為に、省エネ化した自律制御ソフトを搭載した装置で
ア）汚泥を活性酸素処理されあと、界面活性剤を含みまたは廃棄に含まれるアルコール系やフェノール系を脱水し
イ）各製造業の各生産工程から流出し合成される化学物質等の物質または有機物に含まれるアルコール系やフェノール系を、上部から順次、単体に処理すべき化学物質等の処理に応じた、生物的又は化学物質等の組成物を吸着したセラミックボールを投入、攪拌をおこない
ウ）最初に処理すべき化学物質等の物質を攪拌処理した後、各攪拌層の底面に設けた廃棄物処理の粒子に応じた長メッシュ（スリット）をへ、順次下部へ落下する仕組みで
オ）長メッシュ（スリット）の開閉については、各攪拌層に設定した日程と時間に、底面に取り付けた蓋がスライドまたはオープンする仕組みで、自律制御ソフトでコントロールを行う
カ）汚泥や廃棄物の分解処理工程から発生する悪臭やガス等を、強制排気装置で吸引し、悪臭相殺装置を経由し又は排水管へ接続する方法で処理し
キ）汚泥や廃棄物に含まれる化学物質等の物質の濃度が濃い場合、自律制御ソフトに入力したモードで、分解能力の低下または分解能力の速度を促進する為生物的・化学的な組成物質を定期的に拡散する事で可能にし、縦型式汚泥・廃棄物処理装置が出来た。
【０００５】
【発明の実態の形態】
本発明は、汚泥や廃棄物に含まれる化学物質等の物質を、廃棄物発生者から又は化学的に分析し、計量する事で問題を解決する事が出来た。
【０００６】
【実施例】
以下本発明をさらに詳細に説明する。
本発明の実施例の、装置の概略図は、図で示される。
本発明の実施において、生物的または化学的要素をもって処理する場合、処理順位を確定する事が大切で、特に汚泥処理に当たっては複雑な化学物質等の物質を使用しており、排水配管を経由して最終処理施設等（浄化処理施設）で混合され化学物質等の物質が自然に組成され、特定化学物質等の物質に合成されている事が多い。また有機廃棄物の物質に含まれる化学物質等の物質については、アルコール系やフェノール系の物質が多く、熱を利用し拡散する方法と生物的または工学的に処理し、段階的に順次処理する事が必要で、処理能力の工程の日長に応じた縦型式を実施し、▲２▼投入口から汚泥や廃棄物を既存の装置若しくはベルトコンベアーで送り込み▲３▼上部の攪拌層から順次下部の各攪拌層方向へ、それぞれの役割分担と容積と容量を満たす構造で▲４▼モータで攪拌し処理された汚泥や廃棄物を▲５▼長メッシュから▲６▼開閉蓋を通過し下部の▲２▼攪拌層へ移動する。
▲２▼それぞれの各攪拌層で分解した悪臭やガス等を処理する為に▲７▼取り付け金具を経て臭気相殺装置または強制排気装置を経由し排水管に接続する▲８▼汚染濃度が高く分解処理能力に以上をきたす場合、化学的または生物的に栄養源を拡散するために設け▲９▼汚泥や廃棄物の処理目的に応じてコントロールできる自律制御ソフトで、それぞれを示す。
【０００７】
▲１▼は本体の架台で処理容量に応じた、丈夫な構造に対応する。
【０００８】
▲２▼投入口で既設構造に応じた対応若しくは、ベルトコンベアーにて投入する。
【０００９】
▲３▼各攪拌層に、それぞれの目的に応じた容量または容積を設け、縦型に設置し、処理目的に応じた化学的物質等の物質または生物的要素を吸着したセラミックボールを、それぞれの各攪拌層に投入する。
【００１０】
▲３▼に投入した処理物と吸着したセラミックボールを均等に混合するために▲４▼モータを利用する。
【００１１】
▲３▼各攪拌層の内側の底面に設けた▲５▼長メッシュ（スリット）の大きさは、処理物質に応じたセラミックボールの大きさに比例し▲４▼設定どおり一次処理された汚泥や廃棄物は▲６▼の開閉蓋を経て次の▲３▼攪拌層に自動的に落下する。
【００１２】
▲７▼は▲３▼各攪拌層で分解され後、発生する悪臭やガス等を処理するために設けた取り付け金物で、臭気相殺装置を通過し若しくは、排水管へ強制排気装置を通じて接続する。
【００１３】
▲８▼は汚泥や廃棄物に含まれる化学物質等の物質による化学的若しくは生物的に分解の促進を阻害するのを防止する為、促進剤添加用の金具で、促進剤を拡散するために施した。
【００１４】
▲９▼は▲２▼汚泥や廃棄物投入の調整と感知▲４▼攪拌の運転や休止モード調整▲６▼開閉時間の設定▲７▼の先に取り付けた強制排気装置の風量調整▲８▼拡散時間と拡散量の調整▲３▼各攪拌層の温度、湿度や四季の温度調整、雷対策、モータ付加防止対策、加熱防止対策、一次側電源接続間違いにおける警報等防止対策、冷却装置調整対策等、それぞれに必要な制御を入力と記憶を検出できる自律制御ソフトを設け、自動化した事で可能にした。
【図面の簡単な説明】
【図１】汚泥・廃棄物処理装置を示した正面図である。
【図２】装置の示した平面図である。
【図３】汚泥・廃棄処理装置を示した側断面図である。
【図４】汚泥・廃棄物処理容量に応じ、満す方法を示した図面である。
【符号の説明】
▲１▼  架台
▲２▼  投入口
▲３▼  各攪拌層
▲４▼  モータ
▲５▼  長メッシュ（スリット）
▲６▼  開閉板
▲７▼  強制排気装置接続金具（悪臭・ガス等用）
▲８▼  分解促進添加剤拡散接続金具
▲９▼  自律制御ソフト
【図１】
2004216350.tif 000003
【図２】
2004216350.tif 000004
【図３】
2004216350.tif 000005
【図４】
2004216350.tif 000006